(57)【要約】【課題】  流通性の向上を図ることのできるサイレンサーを提供する。【解決手段】サイレンサーは、その外郭体を形成する平板状の第１板材２０と、吸音材４１を備える平板状の第２板材４０とから形成される。第１板材２０は、折曲部２３及び折り目２６ａ，２９ａ，３１ａを介して折り曲げ可能な材質である板紙により形成されている。第２板材４０は、互いに分離可能に設けられた３つの吸音材４２，４３，４３が支持部を介して一体となった状態で形成されている。【選択図】      図１
0003108688.tif 000002
【実用新案登録請求の範囲】
【請求項１】
箱状に組み立てられて用いられるサイレンサーであって、
第１壁部と当該第１壁部の両側縁に相対向して配置される一対の第２壁部とを備える平板状の第１板材と、第３壁部と当該第３壁部の両側縁に相対向して配置される一対の第４壁部とを備えて吸音材からなる平板状の第２板材とからなることを特徴とするサイレンサー。
【請求項２】
前記一対の第２壁部は、前記第１壁部において互いに平行に位置する両側縁にそれぞれ折曲部を介して連設されていることを特徴とする請求項１に記載のサイレンサー。
【請求項３】
前記第１板材は、前記折曲部にて折り曲げ可能な板紙により形成されていることを特徴とする請求項２に記載のサイレンサー。
【請求項４】
前記第１壁部の側縁と平行な方向において、前記第１壁部は前記第２壁部よりも長く形成され、前記第１壁部及び前記第２壁部は、第１壁部の一端縁が第２壁部の一端縁よりも突出するように並列配置されており、前記第２壁部の一端縁は、当該第２壁部の一方の側縁から当該一方の側縁よりも短い他方の側縁にかけて前記第１壁部の側縁に向かって膨らむ円弧状に形成され、当該第２壁部の一端縁に前記第１壁部の側縁が重合されることを特徴とする請求項２又は請求項３に記載のサイレンサー。
【請求項５】
前記第２壁部の一端縁と、これに重合される前記第１壁部の側縁との間には、両者を接合する接合手段が設けられており、当該接合手段は、前記第１壁部の両側部に設けられた接合面と、前記第２壁部の一端縁に突設されて前記接合面に接合される突設部とより構成されていることを特徴とする請求項４に記載のサイレンサー。
【請求項６】
前記第３壁部は前記第１壁部に当接する第１当接面を有しており、前記第４壁部は前記第２壁部に当接する第２当接面を有しており、前記第１当接面と前記第１壁部との間、及び前記第２当接面と前記第２壁部との間には、それぞれ両者を貼着する貼着部材が設けられていることを特徴とする請求項１〜請求項５のいずれか一項に記載のサイレンサー。
【請求項７】
前記第３壁部は前記第１壁部と同一形状を有しており、前記第４壁部は前記第２壁部と同一形状を有しており、前記第３壁部と前記第４壁部とは互いに分離可能に設けられていることを特徴とする請求項１〜請求項６のいずれか一項に記載のサイレンサー。
【請求項８】
箱状に組み立てられて用いられるサイレンサーであって、
平板状をなす第１壁部と当該第１壁部の両側縁に相対向して配置される一対の平板状をなす第２壁部とを備える部材群と、平板状をなす第３壁部と当該第３壁部の両側縁に相対向して配置される一対の平板状をなす第４壁部とを備えて吸音材からなる部材群とからなることを特徴とするサイレンサー。
【考案の詳細な説明】
【技術分野】
【０００１】
本考案は、例えば、パソコンに内蔵された冷却ファンの作動音を抑制するためのサイレンサーに関するものである。
【背景技術】
【０００２】
従来より、パソコンには、その内部が高温になることを防止するために冷却ファンが内蔵されている。この冷却ファンは、パソコン内部の温度が上昇すると自動的に作動し、パソコン内部の熱を外部に排出する機能を有している。しかしながら、冷却ファンが作動すると、その作動音が耳障りになるという問題が生じる。そこで、冷却ファンを外部から被覆すべくパソコンの所定箇所に取付可能とされる箱状の吸音部材が提案されている。通常、こうした吸音部材は、形状を好適に維持することができるよう外郭が金属材料により形成されている。
【考案の開示】
【考案が解決しようとする課題】
【０００３】
しかしながら、上記従来の吸音部材は、頑丈且つ嵩高な箱状を呈しているため、出荷の際に嵩張る等して流通性が低下する可能性が高かった。
この考案は、こうした従来の実情に鑑みてなされたものであり、その目的は、流通性の向上を図ることのできるサイレンサーを提供することにある。
【課題を解決するための手段】
【０００４】
上記の目的を達成するために、請求項１に記載の考案のサイレンサーは、箱状に組み立てられて用いられるサイレンサーであって、第１壁部と当該第１壁部の両側縁に相対向して配置される一対の第２壁部とを備える平板状の第１板材と、第３壁部と当該第３壁部の両側縁に相対向して配置される一対の第４壁部とを備えて吸音材からなる平板状の第２板材とからなることを要旨とする。
【０００５】
請求項２に記載の考案のサイレンサーは、請求項１に記載の考案において、前記一対の第２壁部は、前記第１壁部において互いに平行に位置する両側縁にそれぞれ折曲部を介して連設されていることを要旨とする。
【０００６】
請求項３に記載の考案のサイレンサーは、請求項２に記載の考案において、前記第１板材は、前記折曲部にて折り曲げ可能な板紙により形成されていることを要旨とする。
請求項４に記載の考案のサイレンサーは、請求項２又は請求項３に記載の考案において、前記第１壁部の側縁と平行な方向において、前記第１壁部は前記第２壁部よりも長く形成され、前記第１壁部及び前記第２壁部は、第１壁部の一端縁が第２壁部の一端縁よりも突出するように並列配置されており、前記第２壁部の一端縁は、当該第２壁部の一方の側縁から当該一方の側縁よりも短い他方の側縁にかけて前記第１壁部の側縁に向かって膨らむ円弧状に形成され、当該第２壁部の一端縁に前記第１壁部の側縁が重合されることを要旨とする。
【０００７】
請求項５に記載の考案のサイレンサーは、請求項４に記載の考案において、前記第２壁部の一端縁と、これに重合される前記第１壁部の側縁との間には、両者を接合する接合手段が設けられており、当該接合手段は、前記第１壁部の両側部に設けられた接合面と、前記第２壁部の一端縁に突設されて前記接合面に接合される突設部とより構成されていることを要旨とする。
【０００８】
請求項６に記載の考案のサイレンサーは、請求項１〜請求項５のいずれか一項に記載の考案において、前記第３壁部は前記第１壁部に当接する第１当接面を有しており、前記第４壁部は前記第２壁部に当接する第２当接面を有しており、前記第１当接面と前記第１壁部との間、及び前記第２当接面と前記第２壁部との間には、それぞれ両者を貼着する貼着部材が設けられていることを要旨とする。
【０００９】
請求項７に記載の考案のサイレンサーは、請求項１〜請求項６のいずれか一項に記載の考案において、前記第３壁部は前記第１壁部と同一形状を有しており、前記第４壁部は前記第２壁部と同一形状を有しており、前記第３壁部と前記第４壁部とは互いに分離可能に設けられていることを要旨とする。
【００１０】
請求項８に記載の考案のサイレンサーは、箱状に組み立てられて用いられるサイレンサーであって、平板状をなす第１壁部と当該第１壁部の両側縁に相対向して配置される一対の平板状をなす第２壁部とを備える部材群と、平板状をなす第３壁部と当該第３壁部の両側縁に相対向して配置される一対の平板状をなす第４壁部とを備えて吸音材からなる部材群とからなることを要旨とする。
【考案の効果】
【００１１】
本考案のサイレンサーによれば、流通性の向上を図ることができる。
【考案を実施するための最良の形態】
【００１２】
以下、サイレンサーを図面に基づいて説明する。
図６に示すように、サイレンサー１０は、四角箱状に組み立てられた外郭体１１を有している。この外郭体１１の内面には、後述する吸音材４１（図示略）が取り付けられている。そして、図６に二点鎖線で示すように、サイレンサー１０は、例えば、パソコン１３の冷却ファン１４を被覆するようにパソコン１３の所定位置に配設されるようになっている。
【００１３】
図１及び図２に示すように、上記サイレンサーは、その外郭体を形成する平板状の第１板材２０と、吸音材４１を備える平板状の第２板材４０とから形成されるものである。これら板材２０，４０のうち、まず第１板材２０について説明する。
【００１４】
図１に示すように、第１板材２０は１枚の板紙により形成されている。第１板材２０は、長四角板状をなす第１壁部２１と、当該第１壁部２１において長手方向に平行に延びる両側縁２１ａに相対向して配置される一対の平板状をなす第２壁部２２とより形成されている。第１壁部２１の側縁２１ａと平行な方向において、当該第１壁部２１は前記第２壁部２２よりも長く形成されている。これら第１壁部２１及び第２壁部２２は、第１壁部２１の一端縁（上端縁）が第２壁部２２の一端縁（上端縁）よりも突出するように並列配置されている。第２壁部２２は、第１壁部２１の側縁２１ａの下部に一体で連設されており、第１壁部２１と第２壁部２２との境界位置には第２壁部２２を第１壁部２１に対して折り曲げ可能とする折曲部２３が設けられている。
【００１５】
図１に二点鎖線で示すように、第１壁部２１の側部において前記折曲部２３の上方には、側縁２１ａに沿って接合面２４が設けられている。この接合面２４には、折曲部２３を介して折り曲げられた第２壁部２２が接合されるようになっている。また、第１壁部２１の両側縁２１ａと交差する端縁２１ｂ（上端縁）には、第１折曲片２６が突設されている。この第１折曲片２６は、第１壁部２１の端縁２１ｂ全体に沿って設けられており、折り目２６ａを介して第１壁部２１に対し折り曲げ可能となっている。
【００１６】
前記一対の第２壁部２２は、第１壁部２１の中心２１ｃを通り当該第１壁部２１の側縁２１ａに平行な仮想線２８を軸としてそれぞれ線対称に形成されている。第２壁部２２において、前記折曲部２３の反対側に位置する側縁２２ａの長さは、第１壁部２１の側縁２１ａよりも短く設定されている。
【００１７】
第２壁部２２の上端縁（一端縁）には円弧部２２ｂが設けられている。この円弧部２２ｂは、第２壁部２２の側縁２２ａ（一方の側縁）から折曲部２３（他方の側縁）にかけて第１壁部２１の側縁２１ａに向かって膨らむ円弧状に形成されている。当該円弧部２２ｂには、第１壁部２１の側縁２１ａに向かって突き出る複数（本形態では４つ）の突設部２９が等間隔をおいて設けられている。各突設部２９は、折り目２９ａを介して第２壁部２２に対して折り曲げ可能となっている。この突設部２９と、第１壁部２１の接合面２４とにより、第２壁部２２を第１壁部２１に接合する接合手段が構成されている。
【００１８】
第２壁部２２の側縁２２ａには、第２折曲片３１が突設されている。第２折曲片３１は、第２壁部２２の側縁２２ａ全体に沿って設けられており、その上端は第２壁部２２の側縁２２ａ上端よりも上方に位置している。この第２折曲片３１は、折り目３１ａを介して第２壁部２２に対して折り曲げ可能となっている。第２折曲片３１の上端部、すなわち、第２壁部２２の側縁２２ａ上端よりも上方に位置する第２折曲片３１の上端部には、第１壁部２１の側縁２１ａに向かって延びる長四角板状の接合部３２が突設されている。
【００１９】
次に、第２板材４０について説明する。図２及び図３に示すように、第２板材４０は、３つに分割された吸音材４１と、これら吸音材４１を支持する支持部４５とより平板状に形成されている。すなわち、第２板材４０は、長四角板状をなす第１吸音材４２（第３壁部）と、当該第１吸音材４２において長手方向に平行に延びる両側縁に相対向して配置される一対の平板状をなす第２吸音材４３（第４壁部）とを備えている。
【００２０】
図２に示すように、第１吸音材４２は、第１板材２０の第１壁部２１と同一形状を有している。また、第２吸音材４３は、同第１板材２０の第２壁部２２と同一形状を有している。図５に示すように、第１吸音材４２は第１壁部２１に当接する第１当接面４２ａを有しており、各第２吸音材４３はそれぞれ第２壁部２２に当接する第２当接面４３ａを有している。
【００２１】
吸音材４１は、例えば、冷却ファン１４の作動音を吸収し、低減するものである。この吸音材４１の材料としては、発泡体、不織布、グラスウール、ロックウール等の多孔質材料が挙げられる。本形態では、入手、加工が容易である等の観点から発泡体が使用されている。この発泡体の材料としては、エステル系又はエーテル系のポリウレタン、架橋又は無架橋ポリエチレン、ポリクロロプレン、スチレンブタジエン共重合体、ポリプロピレン、エチレン酢酸ビニル共重合体、ポリスチレン等が挙げられ、これらが単独又は併用して使用される。本形態では、これらのうち吸音性能に優れるポリウレタンを用いるのが好ましい。この発泡体の製造方法としては、ビーズ発泡法、押出し発泡法等が挙げられ、何れの発泡法で得られたものを使用してもよい。
【００２２】
また、前記発泡体は、吸音性能の向上という観点から、発泡倍率が１０〜５０倍のものが好ましい。なお、発泡体には連続気泡のものと、独立気泡のものとがあり、何れを使用してもよい。ここで、連続気泡の発泡材料は、材料中の気泡のうち一部又は全部が繋がっており、吸音性に優れるという利点を有する。このため、本形態では吸音材４１を連続気泡の発泡体で形成することが好ましい。
【００２３】
図３に示すように、支持部４５は、第１吸音材４２の第１当接面４２ａ及び第２吸音材４３の第２当接面４３ａの全面に設けられた貼着部材としての両面テープ４６と、当該両面テープ４６に貼着された離型紙４７とより形成されている。この支持部４５を介して、互いに分離可能に設けられた３つの吸音材４２，４３，４３が一体となって支持されている。
【００２４】
上記第１板材２０から箱状をなすサイレンサー１０の外郭体１１を組み立てる際には、まず、図４に示すように、折曲部２３を介して各第２壁部２２を内側（矢印Ａ方向）に折り曲げる。そして、折り目２９ａを介して各突設部２９をそれぞれ内側に折り曲げるとともに、折り目３１ａを介して第２折曲片３１を外側に折り曲げる。
【００２５】
次いで、第１壁部２１の各接合面２４にそれぞれ両面テープ（図示略）を貼着し、その後、図４に２点鎖線で示すように、矢印Ｂ方向へ第１壁部２１を湾曲させてその側縁２１ａを第２壁部２２の円弧部２２ｂに近づける。このとき、折り目２６ａを介して第１折曲片２６を外側へ折り曲げる。そして、両第２壁部２２の円弧部２２ｂに第１壁部２１の側縁２１ａを各々重ね合わせ、第１壁部２１の接合面２４（両面テープ）に第２壁部２２の各突設部２９を貼り付ける。加えて、第２壁部２２の接合部３２を第１壁部２１の第１折曲片２６に両面テープ（図示略）を介して接合する。すると、図５に示すように、サイレンサーの外郭体１１が箱状に組み立てられる。なお、当該サイレンサー１０の組み立て方法は、上記の方法に限定されるものではなく、適宜変更してもよい。
【００２６】
次に、外郭体１１の内面に吸音材を貼り付ける（図５参照）。すなわち、まず、離型紙４７から一方の第２吸音材４３を剥がし、その第２当接面４３a（両面テープ４６）を一方の第２壁部２２の内面に貼り付ける。続いて、離型紙４７から他方の第２吸音材４３を剥がし、その第２当接面４３a（両面テープ４６）を他方の第２壁部２２の内面に貼り付ける。
【００２７】
次いで、離型紙４７から第１吸音材４２を剥がし、その第１当接面４２a（両面テープ４６）を第１壁部２１の内面に貼り付ける。このとき、第１吸音材４２は、その両側面４２ｂをそれぞれ第２吸音材４３に摺接させながら第１壁部２１の内面に貼り付けられる。そのため、第１壁部２１の内面への第１吸音材４２の貼り付けに際しては、第１吸音材４２の側面４２ｂと第２吸音材４３との間の摩擦により、第１吸音材４２の位置ずれが極力抑制される。従って、第１壁部２１の内面への第１吸音材４２の貼り付けが容易に行われる。
【００２８】
また、第１壁部２１の内面に第１吸音材４２が貼り付けられた後も、第１吸音材４２の側面４２ｂと第２吸音材４３との間の摩擦により、第１吸音材４２の動きが規制される。このため、第１吸音材４２が第１壁部２１の内面から剥がれにくくなっている。
【００２９】
さて、箱状に組み立てられたサイレンサー１０を所定箇所（例えば、パソコン１３の冷却ファン１４の対向箇所）に取り付ける場合、まず、第１折曲片２６及び第２折曲片３１のそれぞれに、離型紙を有する両面テープの一面を貼着する。その後、当該離型紙を剥がし、第１折曲片２６及び第２折曲片３１の両面テープを所定箇所に貼り付けることにより、サイレンサー１０が上記所定箇所に取り付けられる。
【００３０】
次に、上記サイレンサー１０をパソコン１３の冷却ファン１４の対向箇所に取り付けた際の作用について説明する。同サイレンサー１０は、冷却ファン１４を被覆するようにパソコン１３の所定箇所に取り付けられる。この状態において、冷却ファン１４の作動音は、サイレンサー１０の吸音部材により吸音されて弱められる。本形態では、サイレンサー１０の上部及び両側部は閉塞されているため、吸音性が高められている。
【００３１】
また、冷却ファン１４によりパソコン１３外部に排出される熱は、サイレンサー１０の下部開口を通じて外部に放出される。ここで、サイレンサー１０の上部は、外方に膨らむ円弧状に湾曲している。このため、冷却ファン１４により排出された熱は、サイレンサー１０の湾曲形状に沿って下方へと導かれる。すなわち、冷却ファン１４により排出された熱は、サイレンサー１０の内部に滞留することがなく、下方へスムーズに案内されてその下部開口を通じて外部へと放出される。
【００３２】
前記の実施形態によって発揮される効果について、以下に記載する。
・  サイレンサー１０は、その外郭体１１を形成する第１板材２０と、吸音材４１を備える第２板材４０とからなるものである。これら第１板材２０及び第２板材４０は、それぞれ１枚の平板状に形成されている。このため、第１板材２０と第２板材４０とをセットで出荷する場合でも、上記従来の吸音部材の様に嵩張ることがなく、流通性の向上を図ることができる。また、パソコン等の機器類の関連雑誌の普及に伴い、その関連雑誌の付録として第１板材２０及び第２板材４０を添付することが提案されている。こうした場合でも、これら両板材２０，４０は嵩張ることがないため好適である。
【００３３】
・  第１板材２０は、折曲部２３及び折り目２６ａ，２９ａ，３１ａを介して折り曲げ可能な材質である板紙により形成されている。これにより、第１板材２０が容易に折り曲げられるため、当該第１板材２０を所望形状に容易に組み立てることができる。
【００３４】
・  サイレンサー１０は、第２壁部２２の円弧部２２ｂに沿って第１壁部２１が湾曲した状態で形成されている。これにより、サイレンサー１０の内部に導入された流体は、第１壁部２１の湾曲部分に沿って下方へと案内される。例えば、サイレンサー１０をパソコン１３の冷却ファン１４の対向箇所に取り付けた場合には、冷却ファン１４によって排出されたパソコン１３内部の熱（流体）は第１壁部２１の湾曲部分に沿って下方へと案内される。このため、サイレンサー１０の内部に導入された流体は同サイレンサー１０の内部に滞留することがない。従って、当該流体をサイレンサー１０の外部へと容易に排出することができる。
【００３５】
・  第１板材２０を組み立てる際には、第１壁部２１の接合面２４に対して平行に折り曲げられる第２壁部２２の突設部２９を当該接合面２４に接合することにより、第１壁部２１と第２壁部２２とを容易に接合することができる。
【００３６】
・  外郭体１１に対する吸音材４１の貼り付けは、吸音材４１に設けられた両面テープ４６を介して行われる。すなわち、本形態では、外郭体１１を形成する第１板材２０には、吸音材４１を貼り付けるための両面テープ４６が設けられていない。このため、本形態では、第１板材２０に吸音材を貼り付けるための両面テープ４６が設けられている構成の様に、当該両面テープ４６が第１板材２０の組み立ての際の妨げとなることがない。従って、第１板材２０の組み立てを容易に行うことができる。
【００３７】
・  第１吸音材４２及び第２吸音材４３は、それぞれ第１壁部２１及び第２壁部２２と同一形状を有している。このため、第１壁部２１及び第２壁部２２の全面に吸音材４１が取り付けられる。従って、第１壁部２１及び第２壁部２２の全面に亘って、耳障りな作動音を好適に吸音することができる。
【００３８】
・  第１吸音材４２と第２吸音材４３とは、互いに分離可能に設けられている。このため、本形態では、第１吸音材４２と第２吸音材４３とが一体で設けられている構成の様に、第２壁部２２に第２吸音材４３を貼り付けるときに第１吸音材４２が誤って第１壁部２１に貼り付いてしまう等の煩雑さがない。すなわち、本形態では、第１吸音材４２及び第２吸音材４３が別途外郭体１１に貼り付けられるため、上記の様な煩雑さを伴わず、貼り付け作業の容易化を図ることができる。
【００３９】
なお、本実施形態は、次のように変更して具体化することも可能である。
・  第１吸音材４２と第２吸音材４３とが一体で設けられている第２板材４０を採用してもよい。この場合、第１吸音材４２と第２吸音材４３との境界位置には、第１板材２０と同様の折曲部２３が設けられる。
【００４０】
・  第１吸音材４２と第１壁部２１、及び第２吸音材４３と第２壁部２２とをそれぞれ異なる形状に形成してもよい。すなわち、第１吸音材４２及び第２吸音材４３を、それぞれ第１壁部２１及び第２壁部２２より小さく形成してもよい。この場合、第１壁部２１及び第２壁部２２それぞれの内面に対して部分的に第１吸音材４２及び第２吸音材４３が設けられる。
【００４１】
・  第１壁部２１及び第２壁部２２の内面に、吸音材４１を貼り付けるための両面テープ４６を設ける構成を採用してもよい。
・  両面テープ４６に代えて、接着剤、ステープル等を使用してもよい。この場合、離型紙４７は省略される。
【００４２】
・  第１壁部２１の側縁２１ａに突設部２９を設けるとともに、第２壁部２２の上端部に前記突設部２９が接合される接合面２４を設ける構成を採用してもよい。
・  第２壁部２２の上端縁（円弧部２２ｂ）を、第１壁部２１の端縁２１ｂと平行に形成してもよい。
【００４３】
・  第１板材２０は、折曲部２３及び折り目２６ａ，２９ａ，３１ａを介して折り曲げ可能であれば、その材質は板紙に限定されるものではない。すなわち、軟質な合成樹脂及び金属により第１板材２０を形成してもよい。
【００４４】
・  第１壁部２１と第２壁部２２とが分離されている構成を採用してもよい。すなわち、サイレンサー１０の外郭体１１は、平板状をなす第１壁部２１、及び平板状をなす一対の第２壁部２２よりなる３つの部材を備えた部材群より形成される。
【００４５】
・  支持部４５を吸音材４２，４３，４３に合わせて３つに分割してもよい。すなわち、第１吸音材４２と一対の第２吸音材４３とに、それぞれ両面テープ４６及び離型紙４７が別途設けられる。この場合、本形態の第２板材４０は、吸音材４２，４３，４３の３つの部材を備えた部材群に分割される。
【００４６】
・  外郭体１１の内面への吸音材４２，４３，４３の取り付けに際し、まず第１吸音材４２を第１壁部２１の内面に貼り付けた後、各第２吸音材４３をそれぞれ第２壁部２２の内面に貼り付けてもよい。
【００４７】
・  本形態のサイレンサー１０は、耳障りな音が発生する箇所に取り付けられればよく、使用態様は特に限定されるものではない。
【図面の簡単な説明】
【００４８】
【図１】本形態の第１板材を示す平面図。
【図２】本形態の第２板材を示す平面図。
【図３】図２の３−３線における断面図。
【図４】本形態の外郭体の組み立てを示す斜視図。
【図５】本形態のサイレンサーを示す分解斜視図。
【図６】本形態のサイレンサーの使用態様を示す斜視図。
【符号の説明】
【００４９】
１０…サイレンサー、２０…第１板材、２１…第１壁部、２１ａ…第１壁部の側縁、２１ｂ…第１壁部の一端縁、２２…第２壁部、２２ｂ…第２壁部の一端縁に設けられた円弧部、２３…折曲部、２４…接合手段を構成する接合面、２９…接合手段を構成する突設部、４１…吸音材、４２…第３壁部としての第１吸音材、４２ａ…第１当接面、４３…第４壁部としての第２吸音材、４３ａ…第２当接面、４６…粘着部材としての両面テープ。
【図１】
0003108688.tif 000003
【図２】
0003108688.tif 000004
【図３】
0003108688.tif 000005
【図４】
0003108688.tif 000006
【図５】
0003108688.tif 000007
【図６】
0003108688.tif 000008